(57)【要約】【課題】ケースのおもて面から十分な音量で放音することができるようにする。【解決手段】第１ケース部３の内側に設けられている表示部３ａを発音部３ｂとして兼用するようにする。すなわち、表示部３ａに振動子を設けて、振動子に音信号を供給することにより、表示部３ａを口径の大きいスピーカとしても用いるようにする。【選択図】  図１
2004282428.tif 000002
【特許請求の範囲】
【請求項１】
少なくとも平面状の表示器と複数の操作スイッチとが一面に設けられていると共に、携帯電話機能回路が内蔵されているケースを備える携帯電話機であって、
前記平面状の表示器に振動子が設けられて、該振動子により前記平面状の表示器が駆動されることにより、前記平面状の表示器が発音部として作用するようにしたことを特徴とする携帯電話機。
【請求項２】
ケースを折り畳んだ際に合い向かう面とされるおもて面に平面状の表示部が設けられ、その裏面に受話口あるいは送話口が設けられている第１ケース部と、
ケースを折り畳んだ際に合い向かう面とされるおもて面に複数のスイッチボタンからなる操作部が設けられ、その裏面に送話口あるいは受話口が設けられている第２ケース部と、
前記第１ケース部と前記第２ケース部との端部同士を互いに回転可能に支持するヒンジ部と、
前記平面状の表示器を駆動する振動子とを備え、
前記振動子により前記平面状の表示器が駆動されることにより、前記平面状の表示器が発音部として作用するようにしたことを特徴とする携帯電話機。
【請求項３】
前記第１ケース部に対して前記第２ケース部が約１８０°以上回転できるように前記ヒンジ部の回転可能な範囲が設定されていることを特徴とする請求項２記載の携帯電話機。
【発明の詳細な説明】
【０００１】
【発明の属する技術分野】
本発明は、大型の発音部を備える携帯電話機に関する。
【０００２】
【従来の技術】
従来の携帯電話機において、一体型のケースや、第１ケース部と第２ケース部とを折り畳み可能に構成したケースを備える携帯電話機が知られている。このような携帯電話機においては、おもて面に表示部と複数の操作子が設けられており、表示部の上に受話口が設けられ、複数の操作子の下に送話口が設けられている。このように、おもて面には口径の大きいスピーカを設けるスペースがないことから、ケースの裏面に口径の大きいスピーカが設けられている。なお、従来の携帯電話機にあっては、通話の着信やメールの着信があった際に着信音や着信メロディにより着信があったことを、ケースの裏面に設けた口径の大きいスピーカを発音させることによりユーザに通知している。
【０００３】
【発明が解決しようとする課題】
従来の携帯電話においては、口径の大きいスピーカがケースの裏面に設けられており、背面から音が放音されるためユーザが放音された音を聞きにくいという問題点があった。なお、ケースのおもて面に設けられている受話口の内部にはスピーカが設けられているが、口径が小さいことからユーザに通知することのできる音量を発音することはできない。
【０００４】
そこで、本発明は、ケースのおもて面から十分な音量で放音することができるようにした携帯電話機を提供することを目的としている。
【０００５】
【課題を解決するための手段】
上記目的を達成するために、本発明の携帯電話機は、少なくとも平面状の表示器と複数の操作スイッチとが一面に設けられていると共に、携帯電話機能回路が内蔵されているケースを備える携帯電話機であって、前記平面状の表示器に振動子が設けられて、該振動子により前記平面状の表示器が駆動されることにより、前記平面状の表示器が発音部として作用するようにされている。
【０００６】
また、上記目的を達成することのできる本発明の他の携帯電話機は、ケースを折り畳んだ際に合い向かう面とされるおもて面に平面状の表示部が設けられ、その裏面に受話口あるいは送話口が設けられている第１ケース部と、ケースを折り畳んだ際に合い向かう面とされるおもて面に複数のスイッチボタンからなる操作部が設けられ、その裏面に送話口あるいは受話口が設けられている第２ケース部と、前記第１ケース部と前記第２ケース部との端部同士を互いに回転可能に支持するヒンジ部と、前記平面状の表示器を駆動する振動子とを備え、前記振動子により前記平面状の表示器が駆動されることにより、前記平面状の表示器が発音部として作用するようにしている。
さらに、上記本発明の携帯電話機において、前記第１ケース部に対して前記第２ケース部が約１８０°以上回転できるように前記ヒンジ部の回転可能な範囲が設定されていてもよい。
【０００７】
このような本発明によれば、平面状の表示器を振動子により駆動することにより発音部としている。従って、平面状の表示器を口径の大きいスピーカとして兼用することができるため、ケースのおもて面から大音量で着信音や着信メロディ等を放音することができるようになる。また、ケースの裏面に送話口や受話口を設けるようにすると、平面状の表示器の面積を大きくすることができることから、より大きい口径のスピーカとして作用させることができると共に、大型の表示器とすることができるようになる。
また、ケースの裏面に受話口あるいは送話口を設けるようにしたので、口径の大きいスピーカとして兼用する平面状の表示器を大きくしても、ケースの小型化を図ることができるようになる。
【０００８】
【発明の実施の形態】
本発明の実施の形態における携帯電話機のおもて側の構成を示す斜視図を図１に示し、本発明の実施の形態における携帯電話機の裏側の構成を示す斜視図を図２に示す。
これらの図に示すように、本発明の携帯電話機１は第１ケース部３と第２ケース部２とを備えている。そして、第１ケース部３と第２ケース部２との端部同士はヒンジ部４を介して回転可能に固着されていることにより、第１ケース部３と第２ケース部２とは折り畳み可能とされている。図１に示す携帯電話機１は、第２ケース部２に対して第１ケース部３が角度θ１となるように開かれた状態とされており、図２に示す携帯電話機１は、第２ケース部２に対して第１ケース部３が角度θ１より大きい角度θ２となるように開かれた状態とされている。第２ケース部２を折り畳んだ際に合い向かう面とされるおもて面には操作子であるダイヤルボタンやメニューの選択ボタン等の複数のスイッチボタン２ａが設けられており、その裏面にはマイクが内蔵されている送話口２ｂが下部に設けられている。また、第１ケース部３を折り畳んだ際に合い向かう面とされるおもて面にはその全面を占める大きさの平面状とされている液晶表示器等からなる各種情報やテキストが表示可能とされている表示部３ａが設けられており、この表示部３ａは発音部３ｂを兼用している。なお、第１ケース部３の裏面には口径の小さいスピーカが内蔵されている受話口３ｃが上部に設けられている。
【０００９】
ヒンジ部４は、第１ケース部３と第２ケース部２とが角度θ１とされた際にクリック感を持ってその状態を保持することができると共に、第１ケース部３と第２ケース部２とが角度θ２となるように開けた際にその状態を保持することができる構造とされている。角度θ１は、発呼や着信時にスイッチボタン２ａを操作するに適した角度とされると共に、メールの受信や送信の操作時およびインターネット等のネットワーク接続操作時等にスイッチボタン２ａを操作するに適した角度とされている。例えば、角度θ１は約１５０°とされる。なお、表示部３ａは、第１ケース部３のおもて面のほぼ全面を占める大きさとされている平面状の表示部３ａが発音部３ｂとされていることから、発音部３ｂは大口径のスピーカとして作用するようになる。これにより、着信音や着信メロディ音を発音部３ｂから十分な音量で発音させることができるようになる。また、表示部３ａが大きいことから長文のメールを一度で表示することができると共に、メールに画像が添付されている場合にはその画像を表示部３ａに大きなサイズで表示することができるようになる。
【００１０】
さらに、図２に示すように第１ケース部３を第２ケース部２に対して角度θ２まで開いた際には、第１ケース部３の裏面に設けられている受話口３ｃを耳に当て、第２ケース部２の裏面に設けられている送話口２ｂを口に当てることができることから携帯電話機１を裏返しにして通話を行うことができるようになる。角度θ２は、例えば約２１０°とされているが、通話が可能な角度とされていればよいことから１８０°前後の角度であっても良い。
このように、本発明にかかる携帯電話機１においては、従来裏面に設けるようにしていた口径の大きいスピーカを、おもて面に設けられている表示部３ａで兼用するようにしている。表示部３ａで兼用されている発音部３ｂからは、着信音やメロディ音および携帯電話機１で再生した背景音や楽音を携帯電話機１の正面から十分な音量で放音することができるようになる。これにより、着信通知を聞き漏らすことを防止することができると共に楽音を良好な品質で聞くことができるようになる。
【００１１】
また、従来おもて面に設けるようにしていた受話口３ｃを第１ケース部３の裏面に設けるようにしたので、第１ケース部３のおもて面のほぼ全面を占める大きさの表示部３ａを設けることができるようになる。これにより、表示部３ａで兼用されている発音部３ｂの口径をより大きくすることができるようになる。そして、本発明にかかる携帯電話機１においては、通話する場合は携帯電話機１を裏返しにして第１ケース部３の裏面に設けられている受話口３ｃと第２ケース部２の裏面に設けられている送話口２ｂとを利用する。このことから、第１ケース部３を第２ケース部２に対して約１８０°以上回転できるようにしている。
【００１２】
次に、本発明にかかる携帯電話機１における表示部３ａの構成例を図３および図４に示す。ただし、図３は、表示部３ａの構成を示す断面図であり、図４は表示部３ａの構成を示す斜視図である。
図３および図４に示すように、表示部３ａは液晶表示器とされており、図示する下側が表示面とされている。表示された画像等は、偏光フィルタ１１が外面に設けられた透明のガラス基板１２を通して目視することができる。このガラス基板１２の内面側にはＲ，Ｇ，Ｂのカラーフィルタ１３および表示制御用の透明電極１４が設けられている。そして、透明電極１４の内側に９０°配向方向を変えた２枚の配向膜１５および配向膜１７の間に液晶１６が配置されている。配向膜１７の外側には透明電極１８が設けられており、透明電極１４と透明電極１８によりＲ，Ｇ，Ｂの画素毎に液晶１６における液晶分子の並びを制御することにより、所望の画像等を表示できるようにしている。
【００１３】
透明電極１８の外側には、偏光フィルタ２０が外面に設けられた透明のガラス基板１９が設けられており、このガラス基板１９の裏側に表示部３ａとは別体とされているバックライト４０が設けられている。このバックライト４０による発光の透過が、液晶１６により制御されることによりガラス基板１２を通して所望のフルカラーの画像等を目視することができるようになる。また、ガラス基板１２の端部にガラス基板１２をスピーカにおける発音部３ｂとするための振動子３０が設けられている。この振動子３０に増幅された音信号を印加することにより、ガラス基板１２が少なくとも振動するようになり、表示部３ａで兼用されている発音部３ｂから音信号が発音されるようになる。この場合、表示部３ａを構成しているガラス基板１２の大きさが大きくされているため、発音部３ｂの口径は大きなものとなり、大音量の迫力ある品質の音を放音することができるようになる。
【００１４】
次に、本発明にかかる携帯電話機１におけるヒンジ部４の構成を図５および図６に示す。
図５に示すようにヒンジ部４は第２ケース部２の端部の両側に２分割されて一体に形成されている第１保持部４ａと、第１ケース部３の端部のほぼ中央に一体に形成されている第２保持部４ｂとから構成されている。第２保持部４ｂは２分割されている第１保持部４ａの間に嵌挿されて、第１保持部４ａと第２保持部４ｂに形成されている図示しない貫通孔内に軸心４ｃが挿通されて抜け出ないように固着されている。これにより、第１ケース部３は軸心４ｃを回転軸として第２ケース部２に対して回転可能に保持されるようになり、その回転範囲は図５に示すように約１８０°以上で好適には約２１０°とされる角度θ２とすることができるようになる。
【００１５】
なお、第１ケース部３には内部アンテナが内蔵されているが、リトラクタブルなホイップアンテナを第１ケース部３あるいは第２ケース部２に設けるようにしてもよい。また、第１ケース部３を第２ケース部２に対して約１８０°以上開いて通話する場合は、第２ケース部２を把持した際にスイッチボタン２ａを誤って押すことがあることから、その誤動作を防止するために角度θ２まで開いた際に複数のスイッチボタン２ａをロックさせて複数のスイッチボタン２ａからの入力を遮断することが好適である。
【００１６】
【発明の効果】
以上説明したように、本発明の携帯電話機は、平面状の表示器を振動子により駆動することにより発音部としている。従って、平面状の表示器を口径の大きいスピーカとして兼用することができるため、ケースのおもて面から大音量で着信音や着信メロディ等を放音することができるようになる。また、ケースの裏面に送話口や受話口を設けるようにすると、平面状の表示器の面積を大きくすることができることから、より大きい口径のスピーカとして作用させることができると共に、大型の表示器とすることができるようになる。
また、ケースの裏面に受話口あるいは送話口を設けるようにしたので、口径の大きいスピーカとして兼用する平面状の表示器を大きくしても、ケースの小型化を図ることができるようになる。
【図面の簡単な説明】
【図１】本発明の実施の形態における携帯電話機のおもて側の構成を示す斜視図である。
【図２】本発明の実施の形態における携帯電話機の裏側の構成を示す斜視図である。
【図３】本発明の実施の形態における携帯電話機の表示部の構成例を示す断面図である。
【図４】本発明の実施の形態における携帯電話機の表示部の構成例を示す斜視図である。
【図５】本発明の実施の形態における携帯電話機のヒンジ部の構成を示す側面図である。
【図６】本発明の実施の形態における携帯電話機のヒンジ部の構成を示す正面図である。
【符号の説明】
１  携帯電話機、２  第２ケース部、２ａ  スイッチボタン、２ｂ  送話口、３第１ケース部、３ａ  表示部、３ｂ  発音部、３ｃ  受話口、４  ヒンジ部、４ａ  第１保持部、４ｂ  第２保持部、４ｃ  軸心、１１  偏光フィルタ、１２ガラス基板、１３  カラーフィルタ、１４  透明電極、１５  配向膜、１６  液晶、１７  配向膜、１８  透明電極、１９  ガラス基板、２０  偏光フィルタ、３０  振動子、４０  バックライト
【図１】
2004282428.tif 000003
【図２】
2004282428.tif 000004
【図３】
2004282428.tif 000005
【図４】
2004282428.tif 000006
【図５】
2004282428.tif 000007
【図６】
2004282428.tif 000008